(57)【要約】      （修正有）【課題】撮影すべきタイミングにおいて良好に撮影し、かつ、電力消費量を抑制する。【解決手段】街路灯２は、道路を照明する照明部２１と、物体の接近を検出する接近センサ２２と、所定の撮影範囲を撮影する撮影部２３と、撮影部２３に撮影させる撮影制御部２５３と、携帯端末から緊急通報を示す緊急通報情報を無線で受信する通信部２５１と、接近センサ２２の検出状態を所定の時間保持する状態保持部と、携帯端末から緊急通報情報を受信したタイミングの前後の所定範囲の時間内において検出状態が接近を検出したことを示している場合に、撮影部２３により撮影された画像を記憶部２４に記憶させる記憶制御部２５２と、を備える。【選択図】図２
2014174942.tif 000002
【特許請求の範囲】
【請求項１】
道路を照明する照明部と、
物体の接近を検出する検出部と、
所定の撮影範囲を撮影する撮影部と、
前記撮影部に撮影させる撮影制御部と、
携帯端末から緊急通報を示す緊急通報情報を無線で受信する無線通信部と、
前記検出部の検出状態を所定の時間保持する状態保持部と、
前記携帯端末から前記緊急通報情報を受信したタイミングの前後の所定範囲の時間内において前記検出状態が前記接近を検出したことを示している場合に、前記撮影部により撮影された画像を記憶部に記憶させる記憶制御部と、
を備える街路灯。
【請求項２】
前記無線通信部は、前記携帯端末から前記緊急通報情報及び所定の識別情報を受信し、
前記撮影制御部は、前記無線通信部が受信した前記所定の識別情報が予め定められている識別情報と一致する場合に前記撮影部に撮影させる、
請求項１に記載の街路灯。
【請求項３】
前記道路の異なる領域における物体の接近を検出する複数の前記検出部を備える、
請求項１又は２に記載の街路灯。
【請求項４】
前記撮影制御部は、前記撮影部に撮影させる場合に、前記照明部による照明の照度を上昇させる、
請求項１から３のいずれか１項に記載の街路灯。
【請求項５】
前記撮影制御部は、前記緊急通報情報を受信したタイミングの前後の所定範囲の時間内において前記検出状態が前記接近を検出したことを示している場合に、前記照明部の照明を点滅させるとともに、前記照明が点灯しているタイミングで前記撮影部に撮影させる
請求項１から３のいずれか１項に記載の街路灯。
【請求項６】
前記無線通信部は、前記緊急通報情報を受信したことに応じて、前記街路灯の位置から所定の範囲内に位置する他の街路灯に前記緊急通報情報を送信する、
請求項１から５のいずれか１項に記載の街路灯。
【請求項７】
前記記憶制御部は、前記画像が撮影された時刻に関連付けて、前記記憶部の第１領域に前記画像を記憶させるとともに、前記無線通信部が前記緊急通報情報を受信すると、前記第１領域に記憶されている前記画像の少なくともいずれかを前記第１領域と異なる第２領域に記憶させる請求項１から６のいずれか１項に記載の街路灯。
【請求項８】
街路灯と携帯端末とを有する撮影システムであって、
前記携帯端末は、
所定の操作を受け付けると緊急通報を示す緊急通報情報を無線で送信する送信部を有し、
前記街路灯は、
道路を照明する照明部と、
物体の接近を検出する検出部と、
所定の撮影範囲を撮影する撮影部と、
前記撮影部に撮影させる撮影制御部と、
前記携帯端末から前記緊急通報情報を無線で受信する無線通信部と、
前記検出部の検出状態を所定の時間保持する状態保持部と、
前記携帯端末から前記緊急通報情報を受信したタイミングの前後の所定範囲の時間内において前記検出状態が前記接近を検出したことを示している場合に、前記撮影部により撮影された画像を記憶部に記憶させる記憶制御部と、を有する、
撮影システム。
【発明の詳細な説明】
【技術分野】
【０００１】
本発明は、街路灯及び撮影システムに関する。
【背景技術】
【０００２】
従来、携帯端末の操作により送信された緊急通報情報を受信すると、携帯端末の近くの防犯灯に設けられた緊急用の機能を動作させる防犯システムが知られている。
【０００３】
例えば、特許文献１には、携帯端末から緊急通報情報及び現在位置情報を受信したサーバが、当該現在位置情報が示す現在位置に最も近い防犯灯ポールを特定し、公衆通信回線を介してこの防犯灯ポールに周辺を撮影させるための制御信号を送信するシステムが開示されている。
【先行技術文献】
【特許文献】
【０００４】
【特許文献１】特開２００５−１１２３６号公報
【発明の概要】
【発明が解決しようとする課題】
【０００５】
しかしながら、特許文献１に記載されたシステムでは、公衆通信回線の不具合等によってサーバと防犯灯ポールとの通信ができない場合、防犯灯ポールが制御信号を受信できず、周辺を撮影することができないという問題があった。
【０００６】
また、特許文献１に記載されたシステムでは、サーバからの指示に応じて、防犯灯に設けられたカメラで周辺を撮影すると、撮影すべき対象が撮影範囲内にいないにもかかわらず撮影してしまう場合が生じていた。
【０００７】
本発明は、撮影すべきタイミングにおいて良好に撮影することができる街路灯及び撮影システムを提供することを目的とする。
【課題を解決するための手段】
【０００８】
本発明の第１の態様に係る街路灯は、道路を照明する照明部と、物体の接近を検出する検出部と、所定の撮影範囲を撮影する撮影部と、前記撮影部に撮影させる撮影制御部と、携帯端末から緊急通報を示す緊急通報情報を無線で受信する無線通信部と、前記検出部の検出状態を所定の時間保持する状態保持部と、前記携帯端末から前記緊急通報情報を受信したタイミングの前後の所定範囲の時間内において前記検出状態が前記接近を検出したことを示している場合に、前記撮影部により撮影された画像を記憶部に記憶させる記憶制御部と、を備える。
【０００９】
また、本発明に係る街路灯では、前記無線通信部は、前記携帯端末から前記緊急通報情報及び所定の識別情報を受信し、前記撮影制御部は、前記無線通信部が受信した前記所定の識別情報が予め定められている識別情報と一致する場合に前記撮影部に撮影させてもよい。
【００１０】
また、本発明に係る街路灯は、前記道路の異なる領域における物体の接近を検出する複数の前記検出部を備えてもよい。
【００１１】
また、本発明に係る街路灯では、前記撮影制御部は、前記撮影部に撮影させる場合に、前記照明部による照明の照度を上昇させてもよい。
【００１２】
また、本発明に係る街路灯では、前記撮影制御部は、前記緊急通報情報を受信したタイミングの前後の所定範囲の時間内において前記検出状態が前記接近を検出したことを示している場合に、前記照明部の照明を点滅させるとともに、前記照明が点灯しているタイミングで前記撮影部に撮影させてもよい。
【００１３】
また、本発明に係る街路灯は、前記無線通信部は、前記緊急通報情報を受信したことに応じて、前記街路灯の位置から所定の範囲内に位置する他の街路灯に前記緊急通報情報を送信してもよい。
【００１４】
また、本発明に係る街路灯では、前記無線通信部は、前記撮影部によって撮影された画像を外部装置に送信してもよい。
【００１５】
また、本発明に係る街路灯では、前記記憶制御部は、前記画像が撮影された時刻に関連付けて、前記記憶部の第１領域に前記画像を記憶させるとともに、前記無線通信部が前記緊急通報情報を受信すると、前記第１領域に記憶されている前記画像の少なくともいずれかを前記第１領域と異なる第２領域に記憶させてもよい。
【００１６】
本発明の第２の態様に係る撮影システムは、街路灯と携帯端末とを有する撮影システムであって、前記携帯端末は、所定の操作を受け付けると緊急通報を示す緊急通報情報を無線で送信する送信部を有し、前記街路灯は、道路を照明する照明部と、物体の接近を検出する検出部と、所定の撮影範囲を撮影する撮影部と、前記携帯端末から前記緊急通報情報を無線で受信する無線通信部と、前記検出部の検出状態を所定の時間保持する状態保持部と、前記携帯端末から前記緊急通報情報を受信したタイミングの前後の所定範囲の時間内において前記検出状態が前記接近を検出したことを示している場合に、前記撮影部に撮影させる撮影制御部と、を有する。
【発明の効果】
【００１７】
本発明によれば、撮影すべきタイミングにおいて良好に撮影することができる。
【図面の簡単な説明】
【００１８】
【図１】第１の実施形態に係る撮影システムの外観図である。
【図２】第１の実施形態に係る街路灯の機能構成を示す図である。
【図３Ａ】第１の実施形態に係る撮影部による撮影を行う例を示す図である。
【図３Ｂ】第１の実施形態に係る撮影部による撮影を行う例を示す図である。
【図３Ｃ】第１の実施形態に係る撮影部による撮影を行う例を示す図である。
【図３Ｄ】第１の実施形態に係る撮影部による撮影を行う例を示す図である。
【図４】第５の実施形態における複数の街路灯が設置されている状態を示す図である。
【発明を実施するための形態】
【００１９】
以下、本発明の実施形態について説明する。
＜第１の実施形態＞
［撮影システム１の概要］
図１は、第１の実施形態に係る撮影システム１の外観図である。
撮影システム１は、複数の街路灯２−１、２−２、２−３と、携帯端末３と、外部サーバ４とを備える。以下、複数の街路灯２−１、２−２、２−３を区別しないとき、これらを総称して街路灯２という。
撮影システム１では、例えば、携帯電話機やゲーム機等である携帯端末３が、所定の操作を受け付けると緊急通報を示す緊急通報情報を無線通信回線Ｗ１で送信する送信部を備えている。携帯端末３から緊急通報情報を受信した街路灯２は、受信したタイミングの前後の所定範囲の時間内において物体の接近を検出した場合に、所定範囲を撮影し、撮影した画像を外部サーバ４に無線通信回線Ｗ２又は有線通信回線で送信する。
【００２０】
無線通信回線Ｗ１は、例えば、Ｂｌｕｅｔｏｏｔｈ（登録商標）等による近距離無線通信の回線である。無線通信回線Ｗ２は、例えば、無線ＬＡＮ等による無線通信回線である。
【００２１】
図２は、第１の実施形態に係る街路灯２の機能構成を示す図である。
街路灯２は、図１に示すように道路上に複数並んでおり、道路を照明する。街路灯２は、照明部２１と、接近センサ２２と、撮影部２３と、記憶部２４と、制御部２５とを備える。ここで、接近センサ２２と、撮影部２３と、記憶部２４と、制御部２５とは、街路灯２に設けられていればよく、例えば、照明部２１と一体に設けたり、街路灯２の支柱の上部に設けたりしてもよい。
【００２２】
照明部２１は、例えば、蛍光灯、水銀灯、及びＬＥＤ照明等によって構成され、道路を照明する。照明部２１は、制御部２５の制御に応じて照度を調整する調光機能を有している。
【００２３】
接近センサ２２は、例えば、赤外線感知方式のセンサであり、物体の接近を検出する検出部として機能する。すなわち、接近センサ２２は、例えば、接近センサ２２の位置を頂点とした円錐状の空間を検出範囲とし、照明部２１から所定距離以内において、赤外線を発する所定の大きさ以上の物体が動作していることを検出することにより、物体が接近したことを検出する。接近センサ２２は、物体が接近したことを検出すると、検出信号を制御部２５に出力する。なお、接近センサ２２は、赤外線感知方式のセンサに限らず、静電容量方式、超音波感知式等、他の方式のセンサでもよい。
【００２４】
撮影部２３は、レンズ及びＣＣＤ等によって構成されている。撮影部２３の撮影範囲は、例えば、撮影部２３の位置を頂点とした円錐状の空間である。この空間のことを所定の撮影範囲という。ここで、所定の撮影範囲の少なくとも一部は、接近センサ２２の検出範囲と重複してもよい。撮影部２３は、制御部２５の制御に応じて、当該撮影範囲を撮影する。
【００２５】
記憶部２４は、例えば、ＲＯＭやＲＡＭによって構成されており、制御部２５が実行する各種プログラムを記憶する。記憶部２４は、撮影部２３によって撮影された画像を記憶する。また、記憶部２４は、状態保持部として機能し、接近センサ２２の検出状態を所定時間にわたって記憶する。例えば、記憶部２４は、接近センサ２２から、制御部２５を介して入力された検出信号が示す値を所定時間にわたって記憶する。なお、状態保持部の機能は、ラッチ回路やフリップフロップ回路によって実装されてもよい。
【００２６】
制御部２５は、例えば、ＣＰＵにより構成されており、街路灯２に係る機能を統括的に制御する。制御部２５は、接近センサ２２の検出状況に応じて、撮影部２３に所定の撮影範囲を撮影させる。制御部２５は、通信部２５１と、記憶制御部２５２と、撮影制御部２５３とを備える。
【００２７】
通信部２５１は、例えば、Ｂｌｕｅｔｏｏｔｈ（登録商標）等によって携帯端末３と無線通信回線Ｗ１を介して近距離無線通信を行うことにより無線通信部として機能する。通信部２５１は、携帯端末３から緊急通報情報を受信する。また、通信部２５１は、無線通信回線Ｗ２及び有線通信回線等によって、撮影部２３によって撮影された画像を外部サーバ４に送信する。
【００２８】
記憶制御部２５２は、接近センサ２２の検出状態を示す情報を記憶部２４に記憶させるとともに、撮影部２３によって撮影された画像を記憶部２４に記憶させる。具体的には、記憶制御部２５２は、接近センサ２２から検出信号が入力された場合、この検出信号に対応する値（例えば、「１」）を所定時間にわたって記憶部２４に記憶させる。記憶制御部２５２は、記憶部２４に検出信号に対応する値を記憶させてから所定時間経過すると、検出信号に対応する値を記憶部２４から消去させる。以下、記憶部２４に、検出信号に対応する値が記憶されている状態を接近状態といい、検出信号に対応する値が記憶されていない状態を、非接近状態という。
【００２９】
なお、記憶制御部２５２は、接近センサ２２から検出信号が入力された場合、この検出信号が示す値と、検出信号が入力された時刻とを関連付けて記憶部２４に記憶させてもよい。このようにすることで、接近センサ２２が物体の接近を検出した時刻を確認することができる。
【００３０】
撮影制御部２５３は、携帯端末３から緊急通報情報を受信したタイミングの前後の所定範囲の時間内（例えば、受信した時刻の前後３０秒間）において検出状態が物体の接近を検出したことを示している場合に、撮影部２３に所定の撮影範囲を撮影させる。
【００３１】
図３を参照しながら具体的な処理について説明する。図３は、第１の実施形態に係る撮影部２３による撮影を行う例を示す図である。
撮影制御部２５３は、通信部２５１が緊急通報情報を受信したことに応じて記憶部２４を参照し、接近状態であるか否かを判定する。撮影制御部２５３は、接近状態であると判定した場合、撮影部２３に所定の撮影範囲を撮影させる。
【００３２】
例えば、図３Ａに示すように、時刻Ｔ１において、人Ｐが接近センサ２２の検出範囲内に移動し、接近センサ２２によって人Ｐの接近が検出されたとする。すると、記憶制御部２５２は、接近センサ２２から検出信号が入力され、この検出信号に対応する値を所定時間にわたって記憶部２４に記憶させる。
【００３３】
その後、時刻Ｔ１から所定時間以内の時刻Ｔ２において、図３Ｂに示すように、人Ｐが接近センサ２２の検出範囲外に移動した状態で緊急通報情報を発信したとする。すると、通信部２５１が緊急通報情報を受信し、撮影制御部２５３が、接近状態であるか否かを判定する。この場合、記憶部２４には、接近センサ２２から入力された検出信号に対応する値が記憶されているので、撮影制御部２５３は、接近状態と判定して人Ｐを撮影する。このタイミングで人Ｐが撮影部２３の撮影範囲に入っていれば、人Ｐが撮影される。
【００３４】
また、撮影制御部２５３は、接近状態ではないと判定した場合に、緊急通報情報を受信してから所定時間経過するまでの間に、検出信号が入力されたか否かを判定する。撮影制御部２５３は、緊急通報情報を受信してから所定時間経過するまでの間に検出信号が入力された場合、撮影部２３に所定の撮影範囲を撮影させる。
【００３５】
例えば、図３Ｃに示すように、時刻Ｔ３において、人Ｐが接近センサ２２の検出範囲外に位置している状態で緊急通報情報を発信したとする。すると、通信部２５１が緊急通報情報を受信し、撮影制御部２５３が、接近状態であるか否かを判定する。この場合、記憶部２４には、接近センサ２２から入力された検出信号に対応する値が記憶されていないので、接近状態ではないと判定し、人Ｐを撮影しない。ここで、撮影制御部２５３は、時刻Ｔ３から所定時間経過するまで、接近状態か否かの判定を継続する。
【００３６】
その後、時刻Ｔ３から所定時間以内の時刻Ｔ４において、図３Ｄに示すように、人Ｐが接近センサ２２の検出範囲内に移動したとする。すると、記憶制御部２５２は、接近センサ２２から検出信号が入力され、この検出信号に対応する値を所定時間にわたって記憶部２４に記憶させる。そして、撮影制御部２５３は、接近状態であると判定し、人Ｐを撮影する。このタイミングで人Ｐが撮影部２３の撮影範囲に入っていれば、人Ｐが撮影される。
【００３７】
なお、撮影制御部２５３は、撮影部２３に所定の撮影範囲を撮影させる場合に、照明部２１による照明の照度を上昇させてもよい。具体的には、撮影制御部２５３は、緊急通報情報を受信したタイミングの前後の所定範囲の時間内において検出状態が物体の接近を検出したことを示している場合に、照明部２１の照度を上昇させた後に、撮影部２３を制御して所定の撮影範囲を撮影させる。
【００３８】
以上、第１の実施形態によれば、街路灯２は、通信部２５１により、携帯端末３から緊急通報を示す緊急通報情報を無線で受信し、記憶制御部２５２により、接近センサ２２の検出状態を記憶部２４に記憶させ、撮影制御部２５３により携帯端末３から緊急通報情報を受信したタイミングの前後の所定範囲の時間内において検出状態が物体の接近を検出したことを示している場合に、撮影部２３に撮影させる。
【００３９】
このようにすることで、街路灯２は、携帯端末３から緊急通報情報を無線で受信したタイミングから所定範囲の時間内に街路灯２に対する接近を検出した場合に撮影を行うので、街路灯２の周囲において緊急通報情報を発信した人物が接近したことを検出し、撮影すべきタイミングにおいて良好に撮影することができる。
【００４０】
また、街路灯２は、撮影部２３に撮影させる場合に、照明部２１による照明の照度を上昇させるので、より良好に撮影することができる。
【００４１】
＜第２の実施形態＞
［所定の識別情報に基づいて撮影する］
続いて、第２の実施形態について説明する。第２の実施形態は、携帯端末３から所定の識別情報を受信した場合に撮影する点で第１の実施形態と異なる。記憶制御部２５２が、携帯端末３から所定の識別情報を受信した場合に、撮影部２３により撮影された画像を記憶部２４に記憶させてもよい。
【００４２】
第２の実施形態において、街路灯２は、緊急通報情報を受信した場合に、緊急通報情報を送信した携帯端末３のユーザが、街路灯２の撮影部２３による撮影を行う防犯サービスに加入しているユーザか否かを判定し、防犯サービスに加入しているユーザであると判定した場合に、撮影部２３による撮影を行う。
【００４３】
第２の実施形態において、記憶部２４は、防犯サービスに対応する識別情報を予め記憶する。
通信部２５１は、携帯端末３から緊急通報情報及び所定の識別情報を受信する。
撮影制御部２５３は、記憶部２４を参照し、通信部２５１が受信した所定の識別情報が、防犯サービスに対応する識別情報であるか否かを判定する。そして、撮影制御部２５３は、所定の識別情報が、防犯サービスに対応する識別情報であると判定した場合に、撮影部２３に所定の撮影範囲を撮影させる。記憶制御部２５２は、撮影された画像を記憶部２４に記憶させる。
【００４４】
なお、防犯サービスに対応する識別情報を外部サーバ４に予め記憶させておき、撮影制御部２５３が、通信部２５１を介して外部サーバ４に記憶されている防犯サービスに対応する識別情報を参照し、当該識別情報と所定の識別情報とが一致するか否かを判定してもよい。また、外部サーバ４が、街路灯２から所定の識別情報を受信したことに応じて、防犯サービスに対応する識別情報と、所定の識別情報とが一致するか否かを判定し、判定結果を街路灯２に送信してもよい。
【００４５】
以上、第２の実施形態によれば、通信部２５１が、携帯端末３から緊急通報情報及び所定の識別情報を受信し、撮影制御部２５３が、通信部２５１が受信した所定の識別情報が防犯サービスに対応する識別情報と一致する場合に撮影部２３に撮影させる。このようにすることで、街路灯２は、防犯サービスを利用しているユーザに限定して撮影することができる。
【００４６】
＜第３の実施形態＞
［複数の接近センサ２２を備える］
続いて、第３の実施形態について説明する。第３の実施形態は、街路灯２が接近センサ２２を複数備えている点で第１の実施形態と異なり、その他の点では同じである。
【００４７】
第３の実施形態において、街路灯２は、道路の異なる領域に接近又は存在する物体を検出する複数の接近センサ２２を備える。例えば、街路灯２は、第１の通行方向における第１領域における空間を検出範囲とした第１の接近センサ２２Ａと、第１の通行方向と反対方向の第２の進行方向における空間を検出範囲とした第２の接近センサ２２Ｂとを備える。なお、街路灯２に設けられる接近センサ２２は、３個以上であってもよい。また、街路灯２に設けられる撮影部２３は、複数であってもよい。
【００４８】
記憶制御部２５２は、第１の接近センサ２２Ａ及び第２の接近センサ２２Ｂの検出状態を示す情報を記憶部２４に記憶させる。具体的には、記憶制御部２５２は、第１の接近センサ２２Ａ又は第２の接近センサ２２Ｂから検出信号が入力された場合、この検出信号が示す値（例えば、「１」）を所定時間にわたって記憶部２４に記憶させる。
【００４９】
以上、第３の実施形態によれば、街路灯２は、道路の異なる領域における物体の接近を検出する第１の接近センサ２２Ａ及び第２の接近センサ２２Ｂを有するので、物体の接近を検出する検出範囲を増加させて効率よく撮影を行うことができる。
【００５０】
＜第４の実施形態＞
［照明部２１の照明を点滅させる］
続いて、第４の実施形態について説明する。第４の実施形態では、緊急通信情報を受信した場合に照明部２１の照明を点滅させながら撮影を行う点で第１の実施の形態と異なり、その他の点では同じである。
【００５１】
第４の実施形態において、撮影制御部２５３は、緊急通報情報を受信したタイミングの前後の所定範囲の時間内において検出状態が接近状態である場合に、照明部２１の照明を点滅させる。そして、撮影制御部２５３は、照明部２１の点滅タイミングと同期をとり、照明が点灯しているタイミングで撮影部２３に撮影させる。また、通信部２５１は、照明部２１の照明の点滅を解除する旨の信号を受信した場合に、照明部２１の照明の点滅を解除する。
【００５２】
なお、撮影制御部２５３は、緊急通報情報を受信したタイミングの前後の所定範囲の時間内において検出状態が接近状態である場合に、照明部２１を点灯させてから撮影部２３に撮影させ、撮影が終了した後に照明部２１を点滅させてもよい。
【００５３】
また、照明の点滅には、照明の明るさを所定の間隔で切り替えたり、照明の色を所定の間隔で切り替えたりすることを含む。例えば、撮影制御部２５３は、通常状態においては白色で照明を点灯させ、照明を点滅させる場合には白色と赤色とを切り替え、白色が点灯しているタイミングで撮影部２３に撮影させてもよい。
【００５４】
以上、第４の実施形態によれば、街路灯２は、照明部２１を点滅させ、緊急通報情報を受信した旨を、街路灯２の近くにいない人に対して通知することができる。
【００５５】
＜第５の実施形態＞
［他の街路灯に緊急通報情報を送信する］
続いて、第５の実施形態について説明する。第５の実施形態では、緊急通信情報を受信した街路灯２が、当該街路灯２から所定範囲に位置する他の街路灯に緊急通報情報を送信する点で第１の実施の形態と異なり、その他の点では同じである。
【００５６】
第５の実施形態において、通信部２５１は、緊急通報情報を受信したことに応じて、街路灯２の位置から所定範囲内に位置する他の街路灯２に、緊急通報情報を送信する。例えば、通信部２５１は、所定強度の信号を発信することにより、街路灯２の位置から所定範囲内に位置する他の街路灯２に、緊急通報情報を送信する。
【００５７】
なお、複数の街路灯２のそれぞれに、ＩＰアドレス等のネットワーク上のアドレスを付与するとともに、記憶部２４に、これらのＩＰアドレスのそれぞれと街路灯２の位置を示す情報とを関連付けて位置関係情報として記憶してもよい。そして、通信部２５１が、記憶部２４に記憶されている位置関係情報に基づいて街路灯２の位置から所定範囲内に位置する他の街路灯２を特定し、これらの街路灯２に対して通信ネットワークを介して緊急通報情報を送信してもよい。なお、街路灯２は、この緊急通報情報を、外部サーバ４を介して送信してもよい。
【００５８】
また、複数の街路灯２のそれぞれに複数の接近センサ２２を設けておき、通信部２５１が、これら複数の接近センサ２２の検出状態に基づいて物体の移動方向を検出してもよい。さらに、物体の移動方向に位置している他の街路灯２に対してのみ、緊急通報情報を送信してもよい。
【００５９】
図４は、第５の実施形態における複数の街路灯２が設置されている状態を示す図である。例えば、図４に示すように街路灯２−１において、街路灯２−２側と、その反対側とに接近センサ２２を設けておく。そして、街路灯２−１の通信部２５１は、例えば、当該反対側の接近センサ２２の検出範囲（図４の第１の検出範囲）において人Ｐの接近が検出された後、街路灯２−２側の接近センサ２２の検出範囲（図４の第２の検出範囲）において人Ｐの接近が検出された場合に、人Ｐが街路灯２−２側に進行していると判定し、街路灯２−２に緊急通報情報を送信して撮影を行わせる。このようにすることで、例えば、接近センサ２２の検出範囲に比べて、撮影部２３の撮影範囲が広い場合に、街路灯２−２において速やかに撮影を開始することができる。
【００６０】
以上、第５の実施形態によれば、所定範囲内に存在する他の街路灯２に人等の物体が接近した場合であっても撮影を行うので、例えば、携帯端末３のユーザが街路灯２に移動せずに他の街路灯２に接近した場合であっても他の街路灯２によって撮影することができる。また、携帯端末３のユーザが犯罪者に捕まり、携帯端末を操作できなくなった場合であっても撮影することができる。
【００６１】
＜第６の実施形態＞
［携帯端末３に撮影した画像を送信する］
続いて、第６の実施形態について説明する。第６の実施形態では、街路灯２が、緊急通報情報を送信した携帯端末３に対して、撮影部２３が撮影した画像を送信する点で第１の実施の形態と異なり、その他の点では同じである。
【００６２】
第６の実施形態において、まず、携帯端末３は、最も近い街路灯２とセッションを確立し、その後、緊急通報情報を送信する。
撮影制御部２５３は、携帯端末３から緊急通報情報を受信したタイミングの前後の所定範囲の時間内において検出状態が物体の接近を検出したことを示している場合に、撮影部２３に所定の撮影範囲を撮影させる。
【００６３】
通信部２５１は、無線通信回線Ｗ２又は有線通信回線を介して、撮影部２３が撮影した画像を外部サーバ４に送信する。また、通信部２５１は、無線通信回線Ｗ１を介して、撮影部２３が撮影した画像を、緊急通報情報を送信した携帯端末３、すなわち、セッションが確立されている携帯端末３に送信する。
携帯端末３は、撮影された画像を受信し、携帯端末３に設けられた記憶部（不図示）に記憶させる。
【００６４】
なお、通信部２５１は、緊急通報情報とともに、携帯端末３のメールアドレスや電話番号等の携帯端末３の識別情報を受信し、この識別情報に基づいて、撮影部２３によって撮影された画像を送信してもよい。
【００６５】
また、第２の実施形態に示すような防犯サービスにおいて、撮影部２３が撮影した画像を携帯端末３に送信してもよい。この場合、通信部２５１は、防犯サービスのサービスレベルに応じて、撮影部２３が撮影した画像を携帯端末３に送信するか、外部サーバ４に送信するかを選択してもよい。
【００６６】
さらに、本実施形態に係る街路灯２は、携帯端末３のユーザの操作に応じて、撮影部２３に画像を撮影させるとともに緊急通報情報を外部サーバ４送信したり、照明部２１を点滅させたりする緊急時の動作を行う緊急モードと、撮影部２３に画像を撮影させた画像を携帯端末３に送信し、緊急時の動作を行わない動作確認モードとを切り替えてもよい。携帯端末３は、例えば、緊急通報ボタンと動作確認ボタンとを表示させ、ユーザが緊急通報ボタンを押した場合には緊急モードで動作し、ユーザが動作確認ボタンを押した場合には動作確認モードで動作する。
【００６７】
具体的には、街路灯２は、携帯端末３から緊急通報情報を受信したタイミングの前後の所定範囲の時間内において接近センサ２２の検出状態が物体の接近を検出したことを示している場合に、撮影部２３に撮影させ、撮影した画像をサーバ４に送信したり、照明部２１を点滅させたりする。街路灯２は、携帯端末３から動作確認情報を受信したタイミングの前後の所定範囲の時間内において接近センサ２２の検出状態が物体の接近を検出したことを示している場合に、撮影部２３に撮影させ、撮影部２３が撮影した画像を携帯端末３に送信する。携帯端末３は、受信した画像を表示し、ユーザが、撮影された画像を確認することができる。このように、街路灯２が緊急モードと動作確認モードとを有することにより、ユーザが、街路灯２に緊急時の動作をさせることなく、正常に画像が撮影されることを確認できる。
【００６８】
また、本実施形態の構成を用いることにより、サーバ４は、街路灯２が撮影した画像に基づいて生成した情報を携帯端末やコンピュータに配信するサービスを提供することもできる。例えば、サーバ４は、複数の街路灯２において撮影された画像を解析して不審者が写っているか否かを判定し、不審者が写っていることを示す情報を、当該不審者を撮影した街路灯２の位置を特定する情報に関連付けて配信する。携帯端末やコンピュータは、配信された情報に基づいて、不審者が写っている街路灯２の位置を地図上に表示したり、不審者が写っている街路灯２の周辺を通らないルートを地図上に表示したりすることができる。携帯端末やコンピュータは、不審者が写っている街路灯２の位置がユーザに選択されると、選択された街路灯２に撮影された画像及び街路灯２が撮影した最新画像を表示してもよい。このようにすることで、安全なルートを案内するサービスを提供することができる。
【００６９】
以上、第６の実施形態によれば、通信部２５１が、撮影された画像を携帯端末３に送信するので、携帯端末３のユーザは、正常に画像が撮影されることを確認できるとともに、携帯端末３のユーザは撮影された画像を被害の証拠とし、速やかに警察等に説明することができる。また、通信部２５１が、撮影された画像をサーバ４に送信するので、サーバ４において画像を解析して、さまざまなサービスを提供することが可能になる。
【００７０】
＜第７の実施形態＞
［撮影画像を常に一時的に記憶する］
上記の実施形態において、街路灯２は、携帯端末３から緊急通報情報を受信したタイミングの前後の所定範囲の時間内において接近センサ２２の検出状態が物体の接近を検出したことを示している場合に、撮影部２３が撮影し、記憶制御部２５２が、撮影された画像を記憶部２４に記憶させた。しかし、携帯端末３から緊急通報情報を受信するよりも前に物体を撮影することはできなかった。
【００７１】
そこで、本実施形態に係る街路灯２においては、接近センサ２２が物体の接近を検出している場合に、緊急通報情報を受信したか否かによらず、撮影制御部２５３が所定の間隔で撮影部２３に撮影させる。記憶部２４は、第１領域及び第２領域の２つの記憶領域を有する。記憶制御部２５２は、撮影部２３により撮影された画像を、当該画像が撮影された時刻に関連付けて記憶部２４の第１領域に記憶させ、第１領域の全ての領域に画像が記憶された状態になると、古い画像から順次消去する。すなわち、第１領域には、撮影部２３により撮影された最新の画像が順次記憶されている。
【００７２】
通信部２５１が緊急通報情報を受信すると、記憶制御部２５２は、記憶部２４の第１領域に記憶されている画像の少なくともいずれかを第１領域から読み出して、記憶部２４の第２領域に記憶させる。例えば、記憶制御部２５２は、緊急通報情報が受信されたタイミングの前後の所定範囲の時間内において撮影された画像を第１領域から読み出して第２領域に記憶させる。記憶制御部２５２は、例えば携帯端末３から所定の指示を受けるまでは、第２領域に記憶された画像を消去することなく記憶する。第１領域が揮発性メモリであり、第２領域が不揮発性メモリであってもよい。通信部２５１は、第２領域に記憶された画像を外部サーバ４に送信してもよい。
【００７３】
記憶制御部２５２は、通信部２５１が受信した携帯端末３の識別情報が予め定められている識別情報と一致する場合に、第１領域に記憶されている画像を第１領域から読み出して第２領域に記憶させてもよい。
【００７４】
なお、上記の説明においては、記憶部２４が第１領域及び第２領域を有するものとして説明したが、街路灯２が複数の記憶部２４を備え、それぞれの記憶部２４が、上記の第１領域及び第２領域として機能してもよい。
【００７５】
＜第８の実施形態＞
［地震の緊急通報情報に応じて動作する］
上記の実施形態における緊急通報情報は、携帯端末３における所定の操作に応じて発せられるものであったが、緊急通報情報は、地震発生時に携帯端末３が受信した地震速報に基づいて生成された情報であってもよい。この場合において、街路灯２は、点灯していない状態で携帯端末３から緊急通報情報を受信すると、照明部２１を点灯する。街路灯２は、緊急通報情報を受信して点灯した後に、撮影部２３が所定の範囲を撮影してもよい。街路灯２は、地震速報に基づく緊急通報情報を受信した場合に、照明部２１を点灯させる電源を、商用電源からバッテリーに切り替えてもよい。
【００７６】
街路灯２は、緊急通報情報を受信した場合だけでなく、揺れを検知した場合に照明部２１を点灯したり、照明部２１を点灯させる電源を、商用電源からバッテリーに切り替えたりしてもよい。例えば、街路灯２が地震の揺れを検知する振動センサを備え、振動センサが検知した揺れの大きさが所定の大きさを超えた場合に、照明部２１を点灯したり、照明部２１を点灯させる電源を、商用電源からバッテリーに切り替えたりしてもよい。
【００７７】
以上のとおり、本実施形態によれば、街路灯２は地震を検知したことに応じて照明部２１を点灯したり、照明部２１を点灯させる電源を、商用電源からバッテリーに切り替えたりするので、地震によって停電した場合にも街路灯２の周辺を明るくすることができる。
【００７８】
以上のとおり、本実施形態に係る街路灯２によれば、記憶部２４が第１領域及び第２領域の２つの記憶領域を有し、記憶制御部２５２が、緊急通報情報が受信されたタイミングの前後の所定範囲の時間内において撮影された画像を記憶部２４の第１領域から読み出して、記憶部２４の第２領域に記憶させるので、携帯端末３のユーザや当該ユーザに近づく犯罪者が撮影部２３の撮影範囲を過ぎた後で緊急通報情報を送信する操作をした場合であっても、ユーザや犯罪者の画像を記録することができるという効果を奏する。
【００７９】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。
【００８０】
第１の実施形態において、撮影制御部２５３は、撮影部２３に所定の撮影範囲を撮影させる場合に、照明部２１による照明の照度を上昇させたが、これに限らない。例えば、街路灯２に照度センサを設けておき、緊急通報情報を受信した際に接近状態である場合、照度センサによって照度を測定する。そして、撮影制御部２５３は、測定された照度が所定値以下の場合に、照明部２１による照明の照度を上昇させてもよい。
【００８１】
第１の実施形態において、通信部２５１は、撮影された画像を外部サーバ４に送信したがこれに限らない。例えば、記憶部２４に街路灯２の位置情報を記憶させておき、通信部２５１が、撮影された画像と街路灯２の位置情報とを外部サーバ４に送信してもよい。
【００８２】
また、第１の実施形態の照明部２１の照明を複数色のＬＥＤ照明とし、緊急通報情報を受信した場合に、緊急通報情報を受信していない場合に比べて異なる色で照明してもよい。
【００８３】
また、第２の実施形態において、防犯サービスの内容にレベルを設けるとともに、サービスのレベルそれぞれに対応した識別情報を設けてもよい。例えば、街路灯２にスピーカを設けておき、サービスのレベルが相対的に高いユーザに対応する識別情報を受信した場合には、スピーカより警報音を出音させるとともに、通信部２５１を介して警察に通報し、サービスのレベルが相対的に低いユーザに対応する識別情報を受信した場合には、スピーカより警報音を出音させるのみとしてもよい。
【００８４】
また、上記の実施形態においては、街路灯２がサーバ４と通信できる撮影システム１を用いて説明したが、街路灯２が外部サーバ４と通信できない撮影システム１であってもよい。
【符号の説明】
【００８５】
１・・・撮影システム、２・・・街路灯、３・・・携帯端末、４・・・外部サーバ、２１・・・照明部、２２・・・接近センサ、２３・・・撮影部、２４・・・記憶部、２５・・・制御部、２５１・・・通信部、２５２・・・記憶制御部、２５３・・・撮影制御部
【図１】
2014174942.tif 000003
【図２】
2014174942.tif 000004
【図３Ａ】
2014174942.tif 000005
【図３Ｂ】
2014174942.tif 000006
【図３Ｃ】
2014174942.tif 000007
【図３Ｄ】
2014174942.tif 000008
【図４】
2014174942.tif 000009